(57)【要約】【課題】簡単な構成かつ低コストで、薬液に対する耐性も確保し易い内視鏡洗浄消毒装置を提供する。【解決手段】消毒液用の希釈タンク４６の上部側に配置された薬液が注入された薬液ボトル４１Ａは途中に弁４４Ａが介挿された樹脂チューブにより構成される薬液供給チューブ４３Ａにより接続される。弁４４Ａは、挟み込み部６２により挟み込まれた薬液供給チューブ４３Ａを弾性部材の弾性力で閉状態に保持し、ソレノイド６４を駆動することにより、弾性力に抗して薬液供給チューブ４３Ａを閉状態から開状態にし、ポンプ等の送液手段を用いないで、薬液をその自重により希釈タンク４６に供給する。【選択図】図２
2010035620.tif 000002
【特許請求の範囲】
【請求項１】
内視鏡を洗浄消毒するための薬液が注入された薬液ボトルと、
前記薬液ボトルの下方に配置され、該薬液ボトルから供給される前記薬液を希釈する希釈タンクと、
前記薬液ボトルと前記希釈タンクとを接続し、前記薬液ボトルの薬液を、その自重により前記希釈タンクに供給する少なくとも変形自在の可撓性管路部を有する供給管路と、
前記可撓性管路部を挟み込み、前記可撓性管路部の中空部を閉状態又は開状態に弾性力で付勢する弾性部材を備えた挟み込み部と、
前記挟み込み部を構成する可動する可動部を、前記弾性部材の弾性力に抗して前記可撓性管路部の中空部を閉状態から開状態又は開状態から閉状態に駆動する駆動部と、
を備えたことを特徴とする内視鏡洗浄消毒装置。
【請求項２】
前記供給管路は、前記薬液ボトルが装着されるボトル受けと前記希釈タンクとを接続し、変形自在の可撓性を有する樹脂チューブにより形成されることを特徴とする請求項１に記載の内視鏡洗浄消毒装置。
【請求項３】
前記駆動部は、ソレノイドであり、通電時には前記弾性部材の弾性力に抗して前記挟み込み部を開く方向に駆動して、前記供給管路を前記薬液を供給する開状態にし、通電されていない時には、前記弾性部材の弾性力により前記挟み込み部を閉じる方向に付勢して、前記供給管路を前記薬液の供給を停止する閉状態にすることを特徴とする請求項１又は２に記載の内視鏡洗浄消毒装置。
【請求項４】
さらに、前記薬液ボトルから前記希釈タンクに、前記薬液が供給される際、１回の洗浄消毒に使用される薬液量を計測するセンサを備えることを特徴とする請求項１又は２に記載の内視鏡洗浄消毒装置。
【請求項５】
さらに、前記薬液ボトル側に残っている薬液量における洗浄消毒を行う際の残り使用可能回数が設定回数以下に達したか否かを判定する判定手段を有することを特徴とする請求項１から４のいずれか１つの請求項に記載の内視鏡洗浄消毒装置。
【請求項６】
さらに前記希釈タンクにおいて前記供給管路を介して供給された前記薬液と希釈水との調合により生成された洗浄液又は消毒液を、該希釈タンクの下方に配置され、内視鏡の洗浄消毒を行う洗浄消毒槽に、前記洗浄液又は消毒液の自重により供給する少なくとも変形自在の第２の可撓性管路部を有する第２の供給管路と、
前記第２の可撓性管路部を挟み込み、前記第２の可撓性管路部の中空部を閉状態又は開状態に弾性的に付勢する第２の弾性部材を備えた第２の挟み込み部と、
前記第２の挟み込み部を構成する可動する第２の可動部を、前記第２の弾性部材の付勢に抗して前記第２の可撓性管路部の中空部を閉状態から開状態又は開状態から閉状態に駆動する第２の駆動部と、
を備えたことを特徴とする請求項１から５のいずれか１つの請求項に記載の内視鏡洗浄消毒装置。
【請求項７】
前記挟み込み部は、前記可撓性管路部を挟み込み、一方が固定され、他方が可動する一対の挟み込み部材と、前記可撓性管路部の両側の前記一対の挟み込み部材間にそれぞれ配置された対となる前記弾性部材とから構成されることを特徴とする請求項１から６のいずれか１つの請求項に記載の内視鏡洗浄消毒装置。
【発明の詳細な説明】
【技術分野】
【０００１】
本発明は、内視鏡を洗浄消毒する内視鏡洗浄消毒装置に関する。
【背景技術】
【０００２】
医療分野において使用される内視鏡は、内視鏡検査を行う毎に内視鏡洗浄消毒装置により洗浄及び消毒の処理が行われる。例えば、消毒のためには消毒液が広く使用される。    特開２００７−２６７９７４号公報の従来例には、消毒薬液を貯留した薬液ボトルと、この薬液ボトルの消毒薬液を洗浄消毒槽に送液するポンプ等を含む消毒薬液と接する接液部材を消毒薬液との反応性が低い材料により形成した内視鏡洗浄消毒装置が開示されている。
【特許文献１】特開２００７−２６７９７４号公報
【発明の開示】
【発明が解決しようとする課題】
【０００３】
しかし、上記従来例では薬液ボトルの消毒薬液をポンプにより吸い上げて希釈する構成であるため、ポンプ等の送液手段が必要となる構成となり、このためその構成が複雑になると共に、高価になる。  
本発明は上述した点に鑑みてなされたもので、簡単な構成かつ低コストで、薬液に対する耐性も確保し易い内視鏡洗浄消毒装置を提供することを目的とする。
【課題を解決するための手段】
【０００４】
本発明の内視鏡洗浄消毒装置は、内視鏡を洗浄消毒するための薬液が注入された薬液ボトルと、
前記薬液ボトルの下方に配置され、該薬液ボトルから供給される前記薬液を希釈する希釈タンクと、
前記薬液ボトルと前記希釈タンクとを接続し、前記薬液ボトルの薬液を、その自重により前記希釈タンクに供給する少なくとも変形自在の可撓性管路部を有する供給管路と、
前記可撓性管路部を挟み込み、前記可撓性管路部の中空部を閉状態又は開状態に弾性的に付勢する弾性部材を備えた挟み込み部と、
前記挟み込み部を構成する可動する可動部を、前記弾性部材の付勢に抗して前記可撓性管路部の中空部を閉状態から開状態又は開状態から閉状態に駆動する駆動部と、
を備えたことを特徴とする。
【発明の効果】
【０００５】
本発明によれば、簡単な構成かつ低コストで、薬液に対する耐性も確保し易い内視鏡洗浄消毒装置を提供できる。
【発明を実施するための最良の形態】
【０００６】
以下、図面を参照して本発明の実施例を説明する。  
（実施例１）
図１から図４Ｂは本発明の実施例１に係り、図１は本発明の実施例１の内視鏡洗浄消毒装置の全体構成を示し、図２は図１における消毒薬液供給部の構成を、薬液ボトルをセットする状態で示し、図３Ａ及び図３Ｂは図２の消毒薬液供給部におけるＡ−Ａ′線断面により弁の構造を閉状態及び開状態の断面図で示し、図４Ａ及び図４Ｂは図３Ａ及び図３ＢにおけるＢ−Ｂ′線及びＣ−Ｃ′線の断面図を示す。  
図１に示すように本発明の実施例１の内視鏡洗浄消毒装置１は、洗浄消毒対象となる内視鏡２を収納して洗浄消毒を行うための洗浄消毒槽３と、この洗浄消毒槽３に洗浄液供給管路としての樹脂チューブ４、消毒液供給管路としての樹脂チューブ５をそれぞれ介して接続された洗浄薬液希釈機構６及び消毒薬液希釈機構７と、これらを制御する制御部８と、制御結果等の情報を表示する表示部９とを有する。
【０００７】
上記洗浄薬液希釈機構６及び消毒薬液希釈機構７は、洗浄消毒槽３よりも上部側に設けてある。また、この場合、洗浄薬液希釈機構６及び消毒薬液希釈機構７をそれぞれ構成する希釈タンク３６，４６の位置も洗浄消毒槽３よりも上部側に設けてある。  
そして、希釈タンク３６，４６において調合された洗浄液及び消毒液を、洗浄液供給管路としての可撓性を有する樹脂チューブ４及び消毒液供給管路としての可撓性を有する樹脂チューブ５の途中にそれぞれ設けられた弁１１，１２を、制御部８の制御下で、閉から開にすることにより（洗浄液及び消毒液の自重により）洗浄消毒槽３内に送液する。  
なお、これらの弁１１、１２は、後述するように弁３４，４４Ａ、４４Ｂと同じ構成であり、弁１１，１２が開状態にされると、（ポンプを不必要として）洗浄液や消毒液をその自重により洗浄消毒槽３に供給する。
【０００８】
洗浄消毒槽３は、給水弁１３が設けられた送水管路１４を介して水道蛇口１５等の給水源に接続される。また、洗浄消毒槽３は、（内視鏡）外表面洗浄消毒管路１６及び（内視鏡）管路内面洗浄消毒管路１７とも接続されている。  
外表面洗浄消毒管路１６及び管路内面洗浄消毒管路１７の一端は、洗浄消毒槽３の底部の循環水排出口１８に連結されると共に、他端は途中に介挿されたポンプ１９，２０を介して例えば洗浄消毒槽３の壁面に設けられた給液口２１，２２に接続されている。  
また、この洗浄消毒槽３の底面に設けられた排液口２３は、排液弁２４を設けた排液管路２５と接続され、この排液管路２５の途中に排液を行うポンプ２６が接続されている。  なお、給液口２２は、洗浄消毒槽３の内部の接続チューブ２７を介して内視鏡２に設けられた送気送水等を行う流体口金の接続部２８に接続される。
【０００９】
なお、上述したポンプ１９，２０，２６、給水弁１３、排液弁２４は、制御部８により制御される。また、以下に説明する弁等も制御部８により制御される（図１ではこれらの制御線を省略）。  
一方、洗浄薬液希釈機構６は、濃縮された洗浄薬液が注入された洗浄薬液ボトル（単に薬液ボトルとも言う）３１及びそのボトル受け３２と、このボトル受け３２を介して薬液ボトル３１と接続される供給管路としての可撓性の樹脂チューブからなる洗浄薬液供給チューブ（以下、単に薬液供給チューブ）３３と、この薬液供給チューブ３３の下端付近に設けられた（制御部８の制御下で）開閉する弁３４とからなる自重式の洗浄薬液供給部３５を有する。  
この薬液供給チューブ３３の下端は、洗浄薬液希釈タンク（単に希釈タンクとも言う）３６に接続され、弁３４が閉から開にされた場合、薬液ボトル３１の洗浄薬液がその自重により希釈タンク３６内に供給される。  
また、この希釈タンク３６は、途中に希釈弁３７ａが設けられた希釈用管路３７の一端側と接続され、その他端は希釈水の給水源となる例えば水道蛇口３７ｂと接続される。
【００１０】
また、この希釈タンク３６には、この希釈タンク３６内に供給される希釈水、洗浄薬液の供給量を検出（計測）するセンサとして例えば水位センサ３８が設けられており、この水位センサ３８の検出信号は制御部８に入力される。  
つまり、希釈タンク３６内に１回分の洗浄液を貯留する場合、水道蛇口３７ｂからまず、希釈水が希釈タンク３６内に供給されて水位センサ３８を構成する３本のセンサ電極における最も低い位置から２番目に高い位置にその下端が設定されているセンサ電極位置に希釈水の水位が達した場合に検出信号が制御部８に入力される。この検出信号により、制御部８は希釈水の供給を停止する。  
その後、制御部８は、弁３４を開にして薬液ボトル３１の洗浄薬液がその自重により希釈タンク３６内に供給されるようにする。この場合には、最も低い位置から３番目に高い位置の水位に達すると、水位センサ３８から検出信号が制御部８に入力される。この検出信号により、制御部８は洗浄薬液の供給を停止する。
【００１１】
後述する希釈タンク４６側の水位センサ４８もほぼ同様である。但し、その場合には、２種類の消毒薬液を用いて消毒液を調合するため、４本の電極センサを備えた水位センサ４８が採用されている。  
そして、制御部８の制御下で希釈タンク３６には、１回分の（内視鏡）洗浄を行う洗浄薬液が希釈水で希釈による調合により洗浄液として貯留され、洗浄を行う洗浄工程が開始すると制御部８は、弁１１を閉から開に駆動して洗浄液を、その自重により樹脂チューブ４を介して洗浄消毒槽３内に供給する。なお、樹脂チューブ４の上端は、希釈タンク３６の底面付近で希釈タンク３６内に連通している。  
また、消毒薬液希釈機構７は、洗浄薬液希釈機構６と類似した構成である。但し、本実施例においては、消毒薬液希釈機構７は、消毒薬液として２種類の第１消毒薬液及び第２消毒薬液（例えば第１消毒薬液は消毒薬液主剤、第２消毒薬液は活性化するための消毒薬液活性化剤）を用いて構成されるため、２つの消毒薬液供給部４５Ａ，４５Ｂを備えて構成される。
【００１２】
この消毒薬液希釈機構７は、濃縮された第１消毒薬液及び第２消毒薬液が予めそれぞれ注入された消毒薬液ボトル（単に薬液ボトルと言う）４１Ａ、４１Ｂ及びそのボトル受け４２Ａ、４２Ｂと、ボトル受け４２Ａ、４２Ｂをそれぞれ介して各薬液ボトル４１Ａ、４１Ｂと接続される供給管路としての可撓性チューブからなる消毒薬液供給チューブ（以下、単に薬液供給チューブ）４３Ａ、４３Ｂと、各薬液供給チューブ４３Ａ、４３Ｂの例えば下端付近に設けられた開閉する弁４４Ａ、４４Ｂとからなる自重式の消毒薬液供給部４５Ａ、４５Ｂを有する。  
各消毒薬液供給部４５Ｉ（Ｉ＝Ａ，Ｂ）の薬液供給チューブ４３Ｉの下端は、消毒薬液希釈タンク（単に希釈タンクと言う）４６に接続され、弁４４Ｉが閉から開にされた場合、薬液ボトル４１Ｉの消毒薬液がその自重により希釈タンク４６内に供給される。
【００１３】
なお、薬液ボトル４１Ｉ及び薬液ボトル３１には、少なくとも複数回の消毒及び洗浄を行うことができる分量（通常は１０回程度以上）の薬液が予め注入或いは貯留されている。  
また、この希釈タンク４６は、途中に希釈弁４７ａが設けられた希釈用管路４７の一端側と接続され、その他端は希釈水の給水源となる例えば水道蛇口４７ｂと接続される。    また、この希釈タンク４６には、この希釈タンク４６内に供給される希釈水、消毒薬液、消毒薬液の供給量を検出（計測）するセンサとして、例えば水位センサ４８が設けられており、この水位センサ４８の検出信号は制御部８に入力される。  
そして、制御部８の制御下で希釈タンク４６には、１回分の消毒処理を行う消毒薬液が希釈水で希釈による調合により消毒液として貯留され、消毒工程が開始すると制御部８は弁１２を閉から開に駆動して希釈タンク４６内に貯留された消毒液を、その自重により樹脂チューブ５を介して洗浄消毒槽３内に供給する。なお、樹脂チューブ５の上端は、希釈タンク４６の底面付近で希釈タンク４６内に連通している。
【００１４】
なお、弁１１，１２は後述する図３Ａ〜図４Ｂで説明する弁４４Ａと同じ構成である。  制御部８は、例えば制御部８内に書き換え可能な不揮発性メモリとしての例えばフラッシュメモリ８ａを有する。  
そして、制御部８は、１回の洗浄消毒処理を行う毎に、洗浄薬液及び消毒薬液の残り量（残量）及び残り使用可能回数の管理を行い、その情報を情報記憶手段としてのフラッシュメモリ８ａに、（以前の内容を更新して）記憶する。  
また、制御部８は、洗浄消毒処理を行う際に表示部９により、洗浄薬液及び消毒薬液の残量又は残り使用可能回数の表示により使用者にその情報を告知する。  
また、制御部８は、洗浄薬液希釈機構６の薬液ボトル３１及び消毒薬液希釈機構７の薬液ボトル４１Ａ、４１Ｂが交換されたような場合には、新しく装着された薬液ボトル３１の（洗浄）薬液量（及び残り使用可能回数）と、薬液ボトル４１Ａ、４１Ｂの（消毒）薬液量（及び残り使用可能回数）とを更新する。
【００１５】
また、制御部８は、弁１１，１２、３４，４４Ａ、４４Ｂの開閉の制御を行った場合、その回数の情報をフラッシュメモリ８ａに記憶する。そして、これらの弁１１，…４４Ｂを構成する樹脂チューブ４，５，薬液供給チューブ３３，４３Ａ、４３Ｂの開閉の回数が寿命を判定する所定回数に達した場合には、そのチューブを交換するように表示部９による表示で使用者に告知する。  
図２は例えば消毒薬液供給部４５Ａの構成をボトル受け４２Ａに薬液ボトル４１Ａを入れて所定の収納位置（装着位置）にセット（装着）する構成を示す。他の消毒薬液供給部４５Ｂ，洗浄薬液供給部３５の構成も同様である。  
ボトル受け４２Ａは、薬液ボトル４１Ａを着脱できるように例えば上部側が開口する有底の（例えば）円筒形状の容器で構成されている。
【００１６】
このボトル受け４２Ａの底面の中央には薬液ボトル４１Ａにおける薬液が密封された状態のボトル先端部が挿入されることにより、希釈タンク４６側に薬液を供給するための薬液供給口５１が設けられている。この薬液供給口５１の内側に、ボトル開封用刃５２と、シール部材５３とが設けられている。  
ボトル開封用刃５２は、薬液供給口５１の内側で、ボトル受け４２Ａの底面から上方に、かつ鋭角的に突出する。従って、使用者が、薬液ボトル４１Ａを上方から下方に押し付けることにより、このボトル開封用刃５２は、ボトル先端部の開口を密封する密封シールを開封する。  
また、この薬液供給口５１の内側側面には、開封した薬液がこの薬液供給口５１から漏れ出さないようにＯリング等のシール部材５３が設けられている。
【００１７】
また、この薬液供給口５１の上端付近は、例えばテーパ状に拡開し、薬液ボトル４１Ａの先端部をこの薬液供給口５１の深部側、つまり所定の装着位置に位置規制或いはガイドする位置規制部（或いはガイド部）５４が形成されている。  
また、ボトル受け４２Ａ側面内部にも薬液ボトル４１Ａを、このボトル受け４２Ａ内の所定の装着位置に位置規制或いはガイドする位置規制部５５が設けられている。  
また、このボトル受け４２Ａの底面の下側には、薬液供給口５１の開口と連通するように接続用の口金部５６が設けられており、この口金部５６に薬液供給チューブ４３Ａの上端を着脱自在に接続することができるようにしてある。  
この薬液供給チューブ４３Ａの下端付近には、以下に説明するように、挟み込み部６２による挟み込まれた（可撓性管路部としての）この消毒薬液供給チューブ４３Ａを（駆動部としての）ソレノイド６４により、可動鉄心６４ａを移動させることにより、この薬液供給チューブ４３Ａを閉状態から開状態に切り替え自在とした（図３Ａ〜図４Ｂに示す）弁４４Ａが設けられている。
【００１８】
そして、自重により薬液の供給を可能とするこの弁構造を採用することにより、送液に広く用いられるポンプを不必要として簡単な構成、かつ低コストで消毒薬液供給部４５Ａを（備えた内視鏡洗浄消毒装置１を）実現する。  
なお、消毒薬液供給チューブ４３Ａは、以下に説明するように弁４４Ａの部分において、挟み込み部６２により閉状態と開状態となるように繰り返し変形される。そのため、本実施例においては、その繰り返し回数が所定回数に達した場合には、薬液供給チューブ４３Ａの上端を口金部５６から引き抜くことにより、薬液供給チューブ４３Ａを新しいものに簡単に交換することができる。  
また、薬液供給チューブ４３Ａは、この薬液供給チューブ４３Ａにより供給される消毒薬液に対する十分な耐性を有する材質の樹脂により形成されている。上記のように薬液供給チューブ４３Ａは、弁４４Ａにおいて、繰り返し変形されるため、その場合の寿命よりも長い期間、消毒薬液に対する耐性を有する材質の樹脂であれば良い。
【００１９】
他の薬液供給チューブ４３Ｂ、薬液供給チューブ３３に関しても同様に簡単に交換できると共に、同様な耐性を有する。このような薬液供給チューブ４３Ｂ、薬液供給チューブ３３は、安価な樹脂チューブで実現することが可能となり、薬液に対する耐性を確保し易い。  
図３Ａ及び図３Ｂは、図２におけるＡ−Ａ′線の断面にて、ソレノイド６４を駆動しない状態（つまり弁を閉にした閉状態）と、ソレノイド６４を駆動した状態（つまり弁を開にした状態）を示す。また、図４Ａ及び図４Ｂは、図３Ａ及び図３ＢにおけるＢ−Ｂ′線、Ｃ−Ｃ′線の断面図をそれぞれ示す。  
この弁４４Ａは、保持板６１の上には、挟み込み部６２を構成する対の挟み込み部材により薬液供給チューブ４３Ａを挟み込むように配置されている。
【００２０】
具体的には、挟み込み部６２を構成する対の挟み込み部材としての板形状の固定側挟み込み部材（以下、固定部材と略記）６２ａと、可動側挟み込み部材（以下、可動部材と略記）６２ｂとにより、中央に配置される変形自在の薬液供給チューブ４３Ａを挟み込む。なお、固定部材６２ａの下端は保持板６１に固定され、可動部材６２ｂは保持板６１に固定されてなく、スライド移動可能である。  
なお、保持板６１には、この薬液供給チューブ４３を通す孔が設けてあり、この薬液供給チューブ４３Ａの下端は、この孔を通って、希釈タンク４６内に開口している。また、保持板６１は、例えば希釈タンク４６の上面の蓋に固定されている。  
また、固定部材６２ａ及び可動部材６２ｂとの対向する両端付近、つまり中央の薬液供給チューブ４３Ａの両側には、コイルバネ等の対の弾性部材６３、６３が配置され、弾性部材６３、６３の各端部は、固定部材６２ａ及び可動部材６２ｂに固着されている。
【００２１】
また、弾性部材６３，６３は、図３Ａに示すように圧縮された状態に設定されており、この状態においては、固定部材６２ａ、可動部材６２ｂにより薬液供給チューブ４３Ａを押圧して薬液供給チューブ４３Ａにおける消毒薬液の通路となる中空部６７を押しつぶした閉状態、つまり消毒薬液を通さない状態を保持する。  
また、可動部材６２ｂは、この可動部材６２ｂを移動する駆動手段として、例えばソレノイド６４と接続されている。なお、ソレノイド６４は、その底面が保持板６１に固定されている。  
具体的には、可動部材６２ｂは、その中央に設けたリング部６５を通した接続用ワイヤによりソレノイド６４の可動鉄心６４ａと接続されている。  
このソレノイド６４は、通電されない非通電時（駆動ＯＦＦ）の状態においては、図３Ａに示すように可動鉄心６４ａが、ソレノイド６４の（可動鉄心収納部）から突出した状態である。
【００２２】
これに対して、ソレノイド６４に通電した通電時（駆動ＯＮ）の状態になると、ソレノイド６４により可動鉄心６４ａが吸引されて、図３Ｂに示すように可動鉄心６４ａがソレノイド６４内部、つまり可動鉄心収納部内に移動する。この移動により、可動部材６２ｂが弾性部材６３，６３の弾性力による付勢に抗してソレノイド６４側に移動する。そして、中空部６７が押しつぶされていた薬液供給チューブ４３Ａは、略円管形状に復帰し、中空部６７は消毒薬液が通る開状態となる。  
従って、図４Ｂに示すように中空部６７には、消毒薬液が通る状態となり、希釈タンク４６内に消毒薬液が自重により供給される（流れ込む）。  
希釈タンク４６内に消毒薬液が１回の消毒に必要な分量だけ供給されると、水位センサ４８は、その水位から１回の消毒に必要な分量の薬液量が供給されたとの検出信号を制御部８に出力する。制御部８は、この検出信号を受けると、ソレノイド６４を駆動ＯＦＦ状態にする。
【００２３】
図３Ａ〜図４Ｂにより、図１の消毒薬液供給部４５Ａの弁４４Ａの構造を説明したが、他方の消毒薬液供給部４５Ｂの弁４４Ｂも同様の構造であるし、洗浄薬液供給部３５の弁３４も同様の構造である。  
このようにして、希釈タンク３６と希釈タンク４６には、１回の洗浄及び消毒工程に必要な洗浄液及び消毒液が貯留される。そして、洗浄工程が開始すると、制御部８は弁１１を閉から開にすることにより、希釈タンク３６の洗浄液がその自重により洗浄消毒槽３に供給される。また、消毒工程が開始すると、制御部８は弁１２を閉から開にすることにより、希釈タンク３６の消毒液がその自重により洗浄消毒槽３に供給される。  
このように本実施例によれば、自重を利用して送液を行う構成にしているので、ポンプ等の送液手段を不必要としてより簡単な構成かつ、低コスト化することが可能となる。    従って、本実施例ば、簡単な構成かつ低コストで、しかも洗浄消毒する薬液に対する耐性を確保できる洗浄薬液希釈機構６及び消毒薬液希釈機構７を備えた内視鏡洗浄消毒装置１を実現できる。  
また、希釈タンク３６，４８に貯留された洗浄液及び消毒液も簡単な構成かつ低コストで、洗浄消毒槽３に供給することができる。
【００２４】
（実施例２）
図５は本発明の実施例２の内視鏡洗浄消毒装置１Ｃの構成を示す。この内視鏡洗浄消毒装置１Ｃは、図１の内視鏡洗浄消毒装置１の洗浄薬液希釈機構６及び消毒薬液希釈機構７において、薬液供給チューブ３３及び薬液供給チューブ４３Ｉ中に計量容器７１，７１Ｉをそれぞれ設けた洗浄薬液希釈機構６Ｃ及び消毒薬液希釈機構７Ｃを採用している。  
つまり、図５における洗浄薬液希釈機構６Ｃは、図１の洗浄薬液希釈機構６における洗浄薬液供給部３５に、さらに計量容器７１を設けた洗浄薬液供給部３５Ｃを有する。この計量容器７１には、例えば複数回分の洗浄薬液を収納可能としている。  
計量容器７１には、洗浄薬液の上面の位置を水位として検出する水位センサ７２が設けられており、この水位センサ７２の検出信号は、制御部８に入力される。  
また、図５における消毒薬液希釈機構７Ｃは、図１における消毒薬液希釈機構７における消毒薬液供給部４５Ｉにさらに計量容器７１Ｉを設けた消毒薬液供給部４５Ｉ′を有する。この計量容器７１Ｉには、例えば複数回分の消毒薬液を収納可能としている。
【００２５】
図６は、例えば図５における消毒薬液供給部４５Ａ′の構造を示す。  
図２においてはボトル受け４２Ａの底面に口金部５６を設けていたのに対して、図６の消毒薬液供給部４５Ａ′は、図２のボトル受け４２Ａの底面と口金部５６との間に計量容器７１Ａを設けた構成にている。  
計量容器７１Ａには、消毒薬液の上面の位置を水位として検出する水位センサ７２Ａが設けられており、この水位センサ７２Ａの検出信号は、制御部８に入力される。  
そして、洗浄消毒が繰り返し行われることにより、例えば薬液ボトル４１Ｉ中の消毒薬液が空になり、その消毒薬液の上面の位置が水位センサ７２Ａの位置以下になると、水位センサ７２Ａは検出信号を制御部８に出力する。
【００２６】
なお、この水位センサ７２Ａは、消毒薬液の残り使用可能回数が予め設定された設定回数（例えば３回程度の回数）を検出する薬液量に相当する水位を検出するように設定されている。  
制御部８は、この検出信号に基づき、消毒薬液の残り使用可能回数が設定回数以下になった事の判定を行い、その判定結果を告知手段としての例えば表示部９において、薬液ボトル４１Ａを新しい薬液ボトル４１Ａに交換してくださいという主旨の告知を行う。  
その他の構成及び作用効果は、実施例１と同様である。  
本実施例によれば、薬液の残り使用可能回数が設定回数以下か否かを計量（計測）する計量手段或いは設定回数以下か否かを判定する判定手段が設けてあるので、より正確に残り使用可能回数が設定回数以下に達した事の告知を使用者に行うことができる。
【００２７】
なお、実施例１においても、洗浄消毒を行った度に、その情報をフラッシュメモリ８ａに記憶することにより、残り使用可能回数が設定回数以下になった場合には、制御部８の制御により表示部９で表示による告知をすることもできる。  
これに対して、本実施例は、希釈タンク３６或いは４６の断面積よりもかなり小さい断面積の計量容器７１、７１Ｉに水位センサ７２，７２Ｉを設けているので、より精度良くその薬液量を検出（計量）でき、従って残り使用回数が設定回数以下か否かをより精度良く検出できる。  
本実施例によれば、薬液ボトル４１Ｉの残量が予め設定された設定回数に達すると新しい薬液ボトルに交換するように使用者に告知することができる。そして、この告知に従った処置をを行うことにより、洗浄工程や消毒工程の最中に薬液が不足するようなことを未然に防止でき、洗浄消毒を円滑に行うことができる。
【００２８】
その他、実施例１と同様の効果を有する。  
なお、上述した各実施例を部分的に組み合わせたり、変形した実施例等も本発明に属する。  
例えば、図２における（消毒薬液の）供給管路としての薬液供給チューブ４３Ａは、全体が変形自在で可撓性を有する可撓性管路部としての樹脂チューブで形成されているが、弁４４Ａを形成する部分のみを変形自在の樹脂チューブで形成しても良い。  
また、図３Ａ〜図４Ｂにおいては、駆動部としてのソレノイド６４を駆動した駆動時に閉状態から開状態に切り替える構成として説明したが、開状態から閉状態に切り替える構成にしても良い。  
また、ソレノイド６４を駆動した場合に、ソレノイド６４の可動鉄心６４ａその他の可動片を突出させて、弾性部材６３の弾性力に抗して可動部材６２ｂを固定部材６２ａ側に押圧して開状態から閉状態に切り替える構成にしたり、その逆に閉状態から開状態に切り替える構成にしても良い。
【産業上の利用可能性】
【００２９】
洗浄消毒対象となる内視鏡を洗浄消毒槽内に収納し、洗浄液及び消毒液により洗浄消毒を行う。
【図面の簡単な説明】
【００３０】
【図１】図１は本発明の実施例１の内視鏡洗浄消毒装置の全体構成を示す図。
【図２】図２は図１における消毒薬液供給部の構成を薬液ボトルをセットする状態で示す図。
【図３Ａ】図３Ａは図２の消毒薬液供給部におけるＡ−Ａ′線断面により弁の構造を閉状態で示す断面図。
【図３Ｂ】図３Ｂは図２の消毒薬液供給部におけるＡ−Ａ′線断面により弁の構造を開状態で示す断面図。
【図４Ａ】図４Ａは図３ＡにおけるＢ−Ｂ′線の断面図。
【図４Ｂ】図４Ｂは図３ＢにおけるＣ−Ｃ′線の断面図。
【図５】図５は本発明の実施例２の内視鏡洗浄消毒装置の全体構成を示す図。
【図６】図５における消毒薬液供給部の構成を示す図。
【符号の説明】
【００３１】
１…内視鏡洗浄消毒装置、２…内視鏡、３…洗浄消毒槽、４、５…樹脂チューブ、６…洗浄薬液希釈機構、７…消毒薬液希釈機構、８…制御部、９…表示部、１１、１２、３４、４４Ａ、４４Ｂ…弁、１９、２０、２６…ポンプ、３１、４１Ａ、４１Ｂ…薬液ボトル、３２、４２Ａ、４２Ｂ…ボトル受け、３３…薬液供給チューブ、３５…洗浄薬液供給部、３８、４８、７２、７２ＡＳ、７２Ｂ…水位センサ、４３Ａ、４３Ｂ…薬液供給チューブ、４５Ａ、４５Ｂ…消毒薬液供給部、６２…挟み込み部、６２ａ…可動部材、６３…弾性部材、６４…ソレノイド、６４ａ…可動鉄心、７１、７１Ａ、７１Ｂ…計量容器
【図１】
2010035620.tif 000003
【図２】
2010035620.tif 000004
【図３Ａ】
2010035620.tif 000005
【図３Ｂ】
2010035620.tif 000006
【図４Ａ】
2010035620.tif 000007
【図４Ｂ】
2010035620.tif 000008
【図５】
2010035620.tif 000009
【図６】
2010035620.tif 000010